(57)【要約】【課題】特別の構成を設けることなく簡単にズーム倍率の変更が可能な携帯通信端末を提供する。【解決手段】操作されたテンキー２ａに割り当てられた倍率に被写体画像の倍率を変更する。例えば、２キーが操作された場合は、撮影レンズ１１をワイド端に移動して被写体を２倍に拡大する。３以上のテンキー２ａが操作された場合は、電子ズーム回路６２により操作されたテンキー２ａに割り当てられた倍率までＶＲＡＭ１３２の画像データを拡大する。撮影レンズ１１の倍率は５倍などであってもよく、この場合は操作された１〜５キーに応じて撮影レンズ１１をワイド端あるいはテレ端に移動し、光学ズーム機能によって被写体を等倍〜５倍まで拡大する。【選択図】  図２
2006157191.tif 000002
【特許請求の範囲】
【請求項１】
被写体像を光電変換して被写体の画像を得る撮像部と、
前記画像の撮影倍率を変化させるズーム部と、
テンキーを含む操作部と、
操作されたテンキーに割り当てられた撮影倍率に前記画像の撮影倍率を変化させるよう前記ズーム部を制御する制御部と、
を備える携帯通信端末。
【請求項２】
前記ズーム部はズームレンズを含む請求項１に記載の携帯通信端末。
【請求項３】
前記ズーム部は前記画像の一部を切り出して撮影倍率を変化させる電子ズーム部を含む請求項１又は２に記載の携帯通信端末。
【請求項４】
画像を表示する表示部と、
前記画像の表示倍率を変化させるズーム部と、
テンキーを含む操作部と、
操作されたテンキーに割り当てられた表示倍率に前記画像の表示倍率を変化させるよう前記ズーム部を制御する制御部と、
を備える携帯通信端末。
【請求項５】
画像を表示する表示部と、
前記画像の表示倍率を変化させるズーム部と、
テンキーを含む操作部と、
操作されたテンキーに対応する前記画像上の領域を所定の表示倍率で表示するよう前記ズーム部を制御する制御部と、
を備える携帯通信端末。
【請求項６】
画像を表示する表示部と、
前記画像の表示倍率を変化させるズーム部と、
前記表示倍率の指定を受け付ける倍率指定キーと、テンキーとを含む操作部と、
操作されたテンキーに対応する前記画像上の領域を前記倍率指定キーで指定された表示倍率を維持したまま前記表示部に表示するよう前記ズーム部を制御する制御部と、
を備える携帯通信端末。
【請求項７】
被写体像を光電変換して被写体の画像を得るステップと、
テンキーの操作を受け付けるステップと、
操作されたテンキーに割り当てられた撮影倍率に前記画像の撮影倍率を変化させるステップと、
を含む撮影ズーム方法。
【請求項８】
テンキーの操作を受け付けるステップと、
操作されたテンキーに割り当てられた表示倍率に画像の表示倍率を変化させるステップと、
を含む表示ズーム方法。
【請求項９】
テンキーの操作を受け付けるステップと、
操作されたテンキーに対応する画像上の領域を所定の表示倍率で表示するステップを含む表示ズーム方法。
【請求項１０】
画像の表示倍率の指定を受け付けるステップと、
操作されたテンキーに対応する前記画像上の領域を前記指定された表示倍率を維持したまま表示するステップと、
を含む表示ズーム方法。
【発明の詳細な説明】
【技術分野】
【０００１】
本発明は携帯通信端末、撮影ズーム方法及び表示ズーム方法に係り、特に被写体の撮影機能あるいは画像の表示機能を有する携帯通信端末における撮影ズーム又は表示ズームに関する。
【背景技術】
【０００２】
近年、ＣＣＤカメラなどのカメラ機能を備える携帯通信端末が広く普及している。例えば特許文献１によると、携帯電話の本体に、回動可能にカメラユニットが取付けられている。カメラユニットは、携帯電話に対する回動位置に連動してズーム倍率を変更する手段を備えており、カメラユニットが、操作面側に回動するとワイド撮影用ズームに調整され、上方向に回動するとマクロ撮影用ズームに調整され、反操作面側に回動すると望遠撮影用ズームに調整される。カメラユニット内には、ズームレンズ機構を構成する２群のレンズが配置され、２群のレンズを支持する枠体間の距離が、カメラユニットの回動位置に応じて変化することによりズーム倍率が変更される。
【特許文献１】特開２００２−２６２１６４号公報
【発明の開示】
【発明が解決しようとする課題】
【０００３】
ところが、上述の特許文献１では、カメラユニットを回動させる機構を小型の携帯電話に設ける必要があり、機器構成が複雑となる。本発明はこのような問題点に鑑みてなされたもので、特別の構成を設けることなく簡単にズーム倍率の変更が可能な携帯通信端末を提供することを目的とする。
【課題を解決するための手段】
【０００４】
上記課題を解決するため、本発明に係る携帯通信端末は、被写体像を光電変換して被写体の画像を得る撮像部と、画像の撮影倍率を変化させるズーム部と、テンキーを含む操作部と、操作されたテンキーに割り当てられた撮影倍率に画像の撮影倍率を変化させるようズーム部を制御する制御部と、を備える。
【０００５】
この発明によると、携帯通信端末に備えられたテンキーの操作に応じて撮影倍率を変化させることができる。従来のカメラ付き携帯通信端末では、十字キーなどで段階的に撮影倍率を変化させるため、所望の倍率に達するまで時間がかかったが、本発明ではテンキーに割り当てられた撮影倍率まで一気に変化させることができる。
【０００６】
ズーム部はズームレンズであってもよいし、電子ズームであってもよい。
【０００７】
また、上記課題を解決するため、本発明に係る携帯通信端末は、画像を表示する表示部と、画像の表示倍率を変化させるズーム部と、テンキーを含む操作部と、操作されたテンキーに割り当てられた表示倍率に画像の表示倍率を変化させるようズーム部を制御する制御部と、を備える。
【０００８】
この発明によると、携帯通信端末に備えられたテンキーの操作に応じて表示倍率を変化させることができる。従来のカメラ付き携帯通信端末では、十字キーなどで段階的に表示倍率を変化させるため、所望の倍率に達するまで時間がかかったが、本発明ではテンキーに割り当てられた表示倍率まで一気に変化させることができる。
【０００９】
また、本発明に係る携帯通信端末は、画像を表示する表示部と、画像の表示倍率を変化させるズーム部と、テンキーを含む操作部と、操作されたテンキーに対応する画像上の領域を所定の表示倍率で表示するようズーム部を制御する制御部と、を備える。
【００１０】
この発明によると、携帯通信端末に備えられたテンキーの操作に応じて画像の表示領域及び表示倍率を変化させることができる。
【００１１】
また、本発明に係る携帯通信端末は、画像を表示する表示部と、画像の表示倍率を変化させるズーム部と、表示倍率の指定を受け付ける倍率指定キーと、テンキーとを含む操作部と、操作されたテンキーに対応する画像上の領域を倍率指定キーで指定された表示倍率を維持したまま表示部に表示するようズーム部を制御する制御部と、を備える。
【００１２】
この発明によると、表示領域の切替えの度に倍率を再指定する必要がなくなる。
【００１３】
本発明に係る撮影ズーム方法は、被写体像を光電変換して被写体の画像を得るステップと、テンキーの操作を受け付けるステップと、操作されたテンキーに割り当てられた撮影倍率に画像の撮影倍率を変化させるステップと、を含む。
【００１４】
本発明に係る表示ズーム方法は、テンキーの操作を受け付けるステップと、操作されたテンキーに割り当てられた表示倍率に画像の表示倍率を変化させるステップとを含む。
【００１５】
また、本発明に係る表示ズーム方法は、テンキーの操作を受け付けるステップと、操作されたテンキーに対応する画像上の領域を所定の表示倍率で表示するステップを含む。
【００１６】
また、本発明に係る表示ズーム方法は、画像の表示倍率の指定を受け付けるステップと、操作されたテンキーに対応する画像上の領域を指定された表示倍率を維持したまま表示するステップと、を含む。
【発明の効果】
【００１７】
この発明によると、携帯通信端末に備えられたテンキーの操作に応じて撮影倍率又は表示倍率を変化させることができる。従来の携帯通信端末では、十字キーなどで段階的に撮影倍率又は表示倍率を変化させるため、所望の倍率に達するまで時間がかかったが、本発明ではテンキーに割り当てられた倍率まで一気に変化させることができる。
【発明を実施するための最良の形態】
【００１８】
以下、添付した図面を参照し本発明の好ましい実施の形態を説明する。
【００１９】
＜第１実施形態＞
［概略構成］
図１は、本発明の好ましい実施形態に係る携帯通信端末１の正面図である。この図では携帯通信端末１の好ましい形態として携帯電話機１を示すが、テンキーを備えたものであれば何でもよく、ＰＤＡなどであってもよい。携帯電話機１は、ＬＣＤなどで構成された表示部１７、テンキー２ａ、撮影キー２ｂ、モードボタン２ｃ、右キー２Ｒ、左キー２Ｌ、上キー２Ｕ、下キー２Ｄからなる十字キー、通信開始キー・通信終了キー・ＲＴＮキー・撮影モード移行キー・撮影開始キー・アドレス帳表示キーなどのその他の各種キーからなる操作部２が設けられている。操作部２は上記のキーやボタンに相当する各種表示ボタンの押下を検知するタッチパネルで構成してもよい。携帯電話機１の上部には伸縮可能なロッド型のアンテナ３が設けられている。
【００２０】
図２は携帯電話機１の機能ブロック図である。携帯電話機１は、撮像レンズ１１、ＣＣＤなどの固体撮像素子１２、ドライバ１２２が固体撮像素子１２から読み取ったアナログ画像をデジタル信号に処理するためのアナログフロントエンドＩＣ１３、アナログフロントエンドＩＣ１３からのデジタル画像信号を処理するＤＳＰ（Digital Signal Processor）等の信号処理ＩＣ１４、中央演算処理装置（ＣＰＵ）１０、表示部１７の表示制御を行う表示コントローラ１６などを備えている。携帯電話機１の各回路への電源供給は携帯電話機１の筐体内部に装着される電池からなる主要電源１６４から供給される。
【００２１】
また、携帯電話機１は、他の携帯通信端末などとアンテナ３を介して無線通信を行う通信部１５、メモリカード４からのデータ読み取りやメモリカード４へのデータ記録を行うカードコネクタ８０、記録内容の書き換えが可能なフラッシュメモリ１９、各種データやプログラムを記憶するＲＯＭ２０、ＣＰＵ１０の処理に必要な各種データを記憶するＲＡＭ２１を備えている。上記の各部はバス（ＢＵＳ）を介して接続されている。
【００２２】
撮像レンズ１１には、例えば光学２倍ズームレンズが用いられ、テンキー２ａから入力される倍率変更操作に応じてモータドライバ１４０が撮像レンズ１１を望遠（テレ）側又は広角（ワイド）側に進退駆動することで光学ズーム倍率が変更される。撮像レンズ１１の倍率は上記に限定されない。撮像レンズ１１には絞り１１６が設けられており、モータドライバ１４０を介して絞り１１６を制御して適正な露光量を得る。
【００２３】
モードボタン２ｃによって撮影モードが設定されると、ＣＰＵ１０は、動画（スルー画）を表示部１７に表示させ、撮影画角を確認可能にする。即ち、固体撮像素子１２は、撮像レンズ１１の受光面に結像された被写体光をその光量に応じた量の信号電荷に変換する。このようにして蓄積された各画素の信号電荷は、ＣＰＵ１０の指令に従いタイミングジェネレータ１２１から与えられる駆動パルスに基づき、信号電荷に応じた電圧信号（画像信号）としてドライバ１２２によって順次個別に読み出され、アナログフロントエンド回路１３でデジタル信号に変換されてそれぞれ信号処理回路１４に加えられる。
【００２４】
信号処理回路１４は、ゲイン調整回路及びＡ／Ｄ変換器を含み、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＣＰＵ１０からのコマンドに従って画像信号を処理する。
【００２５】
信号処理回路１４に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００２６】
撮影画像を表示部１７にモニタ出力する場合、ＶＲＡＭ１３２からＹＣ信号が読み出され、表示コントローラ１６に送られる。表示コントローラ１６は、入力されたＹＣ信号を表示用の所定方式の信号（例えば、ＮＴＳＣ方式のカラー複合映像信号）に変換して表示部１７に出力する。
【００２７】
ＶＲＡＭ１３２の画像データは、必要に応じて信号処理回路１４から電子ズーム回路６２に加えられる。電子ズーム回路６２は、画像の拡大／縮小処理を行う。すなわち、画像データの一部を切り出し、その切り出し範囲を拡大／縮小することにより、画像の拡大／縮小処理を行なう。そして、その拡大／縮小後の画像データをＶＲＡＭ１３２に出力する。切り出し範囲は十字ボタンなどの操作部２の操作で画像上の任意の位置に移動させることができ、これにより画像データの所望の範囲を拡大／縮小できる。
【００２８】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１７に供給されることにより、撮像中の映像がリアルタイムに表示部１７に表示される。ユーザは、表示部１７に表示される映像（スルー）によって撮影画角を確認できる。
【００２９】
ここで、撮影キー２ｂが押下されると、記録用の撮影動作がスタートする。撮影キー２ｂの押下に応動して取得された画像データは信号処理回路１４において輝度／色差信号（Ｙ／Ｃ信号）に変換され、ガンマ補正等の所定の処理が施された後、ＲＡＭ２１に格納される。
【００３０】
ＲＡＭ２１に格納されたＹ／Ｃ信号は、圧縮伸長処理回路１４４によって所定のフォーマットに従って圧縮された後、カードコネクタ８０を介してメモリカード４にJPEGファイルなどの所定フォーマットのファイルとして記録される。
【００３１】
モードボタン２ｃによって動画撮影モードが設定されたときには、撮影キー２ｂの押下操作に連動して動画記録動作がスタートし、もう一度撮影キー２ｂを押下すると動画記録動作が停止する。撮影キー２ｂを押下継続している期間、録画動作を行い、押下解除によって録画を停止するようにしてもよい。動画データは、例えばモーションＪＰＥＧ（ＭＰＥＧ）形式によってメモリカード４に記録される。
【００３２】
モードボタン２ｃによって再生モードが設定されると、メモリカード４に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、表示コントローラ１６に加えられる。表示コントローラ１６は、入力するＹＣ信号からＮＴＳＣ方式のＲＧＢカラー複合映像信号を作成し、これを表示部１７に出力する。これにより、表示部１７にはメモリカード４に記録されている最終コマのコマ画像が表示される。
【００３３】
その後、十字キーの右キー２Ｒが押されると、順方向にコマ送りされ、十字キーの左キー２Ｌが押されると、逆方向にコマ送りされる。そして、コマ送りされたコマ位置の画像ファイルがメモリカード４から読み出され、上記と同様にしてコマ画像が表示部１７に再生される。尚、最終コマのコマ画像が表示されている状態で順方向にコマ送りされると、メモリカード４に記録されている１コマ目の画像ファイルが読み出され、１コマ目のコマ画像が表示部１７に再生される。
【００３４】
電子ズーム回路６２は再生画像の電子ズームも行う。再生画像の表示倍率変更の詳細は後述の再生処理で説明する。
【００３５】
ＣＰＵ１０は、操作部２の各種のボタンやキーからの入力に基づいて携帯電話機１内の各回路を統括制御する。テンキー２ａは、撮像レンズ１１の焦点距離の調節と電子ズーム機能による拡大／縮小の指示に兼用される。ここでは一例として、テンキー２ａのｎキーには倍率ｎ（ｎ＝１〜５）が割り当てられている。各テンキー２ａへの倍率の割り当てはフラッシュメモリ１９に更新可能に記憶されており、どの各テンキー２ａにどの倍率を割り当てるかは適宜変更できるようにしてもよい。撮影倍率変更の詳細は後述の撮影処理で説明する。
【００３６】
携帯電話機１は撮像レンズ１１による光学ズームと電子ズーム回路６２による電子ズームの２つのズーム機能を備えており、ＣＰＵ１０は光学ズームを優先して倍率変更を行うように制御する。すなわち、ｎ＝３以上のテンキー２ａのｎキーが操作されると、光学ズームがワイド端に到達し、電子ズームに切り替わる。
【００３７】
なお、ＣＰＵ１０は、ＯＳＤ信号発生回路を含み、ＯＳＤ信号発生回路はシャッター速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、表示部１７に供給される。これにより、スルー画像や再生画像に文字やアイコン等が合成された合成画像が表示される。
【００３８】
メモリカード４は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３９】
［処理の流れ］
（撮影処理）
次に、図３のフローチャートに基づき、ＣＰＵ１０の実行する撮影処理の流れを説明する。この処理は、テンキー２ａの各数字キーに割り当てられた倍率を、各数字キーの操作に応じて設定する。この処理はモードボタン２ｃによって撮影モードが設定されたときに開始する。なお、この処理は、通話終了キーなどの操作に応じて即時に終了する。
【００４０】
Ｓ１では、動画（スルー画）を表示部１７に表示させ、撮影画角を確認可能にする。
【００４１】
Ｓ２では、操作部２の操作があったか否かを検知する。操作を検知した場合はＳ３に移行する。
【００４２】
Ｓ３では、操作されたのはテンキー２ａのｎキー（ｎ＝０〜５）のいずれかであったか否かを判断する。ｎキーが操作された場合はＳ５に移行し、それ以外のキー・ボタンが操作された場合はＳ６に移行する。
【００４３】
Ｓ５では、操作されたのはテンキー２ａの０キーであったか否かを判断する。０キーが操作された場合はＳ８へ移行し、０キーが操作された場合はＳ８へ移行し、１〜５キーが操作された場合はＳ７に移行する。
【００４４】
Ｓ６では、撮影キー２ｂが操作されたか否かを判断する。撮影キー２ｂが操作された場合はＳ９に移行し、それ以外の場合はＳ２に戻る。
【００４５】
Ｓ７では、操作されたテンキー２ａに割り当てられた倍率に被写体画像の倍率を変更する。例えば、２キーが操作された場合は、撮影レンズ１１をワイド端に移動して被写体を２倍に拡大する。３以上のテンキー２ａが操作された場合は、電子ズーム回路６２により操作されたテンキー２ａに割り当てられた倍率までＶＲＡＭ１３２の画像データを拡大する。撮影レンズ１１の倍率は５倍などであってもよく、この場合は操作された１〜５キーに応じて撮影レンズ１１をワイド端あるいはテレ端に移動し、光学ズーム機能によって被写体を等倍〜５倍まで拡大する。
【００４６】
Ｓ８では、ズーム機能を初期化する。即ち、撮影レンズ１１をテレ端に移動し、かつ電子ズーム回路６２による電子ズーム機能を停止する。
【００４７】
Ｓ９では、撮影動作を実行し、Ｓ２に戻る。
【００４８】
以上説明した通り、操作されたテンキー２ａに割り当てられた倍率に従って被写体画像の倍率を変化させる。従来の十字キー操作などによる倍率変更指定の場合、倍率を小さい倍率から大きい倍率まで順次変更させて目標倍率まで到達させる必要があったが、本発明では、テンキー２ａを操作することで目標の倍率指定が即座にでき便利である。
【００４９】
（再生処理）
次に、図４のフローチャートに基づき、ＣＰＵ１０の実行する再生処理の流れを説明する。この処理は撮影画像の再生を行う際、再生画像の倍率をテンキー２ａに割り当てられた倍率に変更して表示する。この処理はモードボタン２ｃによって再生モードが設定されたときに開始する。なお、この処理は、通話終了キーなどの操作に応じて即時に終了する。
【００５０】
Ｓ１１では、図５に示すように、メモリカード４に記録されている最終の（あるいは最初の）画像ファイルを表示部１７の画像表示エリアＸ１に表示させる。ＯＳＤ回路により、テンキー２ａに割り当てられた倍率を表示部１７の操作説明表示エリアＸ２に表示してもよい。
【００５１】
Ｓ１２では、操作部２の操作があったか否かを検知する。操作を検知した場合はＳ１３に移行する。
【００５２】
Ｓ１３では、操作されたのは上キー２Ｕ又は下キー２Ｄのいずれかであったか否かを判断する。上キー２Ｕ又は下キー２Ｄが操作された場合はＳ１４に移行し、それ以外のキー・ボタンが操作された場合はＳ１５に移行する。
【００５３】
Ｓ１４では、上キー２Ｕ又は下キー２Ｄの操作に応じて再生画像の倍率を順次変更する。即ち、上キー２Ｕが一度押される度に現在の倍率よりも１段階高い倍率に変更し、下キー２Ｄが一度押される度に現在の倍率よりも１段階低い倍率に変更する。
【００５４】
Ｓ１５では、操作されたのは右キー２Ｒ又は左キー２Ｌのいずれかであったか否かを判断する。右キー２Ｒ又は左キー２Ｌが操作された場合はＳ１６へ移行し、それ以外のキー・ボタンが操作された場合はＳ１７に移行する。
【００５５】
Ｓ１６では、右キー２Ｒ又は左キー２Ｌの操作に応じて画像をコマ送りする。即ち、十字キーの右キー２Ｒが押されると、順方向にコマ送りし、十字キーの左キー２Ｌが押されると、逆方向にコマ送りする。
【００５６】
Ｓ１７では、操作されたのはテンキー２ａのｎキー（ｎ＝１〜９）のいずれかであったか否かを判断する。ｎキーが操作された場合はＳ１８に移行し、それ以外のキー・ボタンが操作された場合はＳ１２に戻る。
【００５７】
Ｓ１８では、電子ズーム回路６２を制御し、操作されたテンキー２ａに割り当てられた倍率に再生画像の倍率を変更する。例えば、ｎキーにｎ倍（ｎ＝１〜３）の倍率が割り当てられており、ｎキーが操作された場合は、画像データをｎ倍に拡大する。そして、Ｓ２に戻る。
【００５８】
以上説明した通り、操作されたテンキー２ａに割り当てられた倍率に従って再生画像を拡大する。従来の十字キー操作などによる倍率変更指定の場合、倍率を小さい倍率から大きい倍率まで順次変更させて目標倍率まで到達させる必要があったが、本発明では、テンキー２ａを操作することで目標の倍率指定が即座にでき便利である。
【００５９】
＜第２実施形態＞
第１実施形態の再生処理では、十字キーで切り出し範囲を移動させて再生画像中の拡大する領域を指定させた上、テンキーでその切り出し範囲の画像の倍率を変更していた。しかし、以下の再生処理を行えば、テンキーの操作だけで切り出し領域の移動と倍率の変更を同時に指定することも可能である。
【００６０】
図６は第２実施形態に係る再生処理の流れを示すフローチャートである。この処理は第１実施形態の携帯通信端末１のＣＰＵ１０で実行できる。
【００６１】
Ｓ２１では、メモリカード４に記録されている最終の（あるいは最初の）画像ファイルを表示部１７の画像表示エリアＸ１に表示させる。一方、テンキー２ａに割り当てられた切り出し範囲の位置を表示部１７の操作説明表示エリアＸ２に表示する（図８参照）。
【００６２】
Ｓ２２では、操作部２の操作があったか否かを検知する。操作を検知した場合はＳ３に移行する。
【００６３】
Ｓ２３では、操作されたのはテンキー２ａの１〜９キーのいずれかであったか否かを判断する。１〜９キーのいずれかが操作された場合はＳ２４に移行し、それ以外のキー・ボタンが操作された場合はＳ２５に移行する。
【００６４】
Ｓ２４では、操作されたテンキー２ａに割り当てられた位置に切り出し範囲を移動する。テンキー２ａへの位置の割り当ては、例えば矩形状の切り出し範囲の中心座標を各テンキー１〜９に対応づけることで行われる。そして、移動した切り出し範囲の画像の倍率を、所定の倍率（例えば２倍）に変更する。この所定の倍率を変更できるモードを設けてもよい。
【００６５】
Ｓ２５では、操作されたのは上キー２Ｕ又は下キー２Ｄのいずれかであったか否かを判断する。上キー２Ｕ又は下キー２Ｄが操作された場合はＳ２６に移行し、それ以外のキー・ボタンが操作された場合はＳ２７に移行する。
【００６６】
Ｓ２６では、上キー２Ｕ又は下キー２Ｄの操作に応じて再生画像の倍率を順次変更する。即ち、上キー２Ｕが一度押される度に現在の倍率よりも１段階高い倍率に変更（拡大）し、下キー２Ｄが一度押される度に現在の倍率よりも１段階低い倍率に変更（縮小）する。
【００６７】
Ｓ２７では、操作されたのは撮影キー２ｂであるか否かを判断する。撮影キー２ｂが操作された場合は表示エリア変更処理に移行し、撮影キー２ｂが操作されていない場合はＳ２８に移行する。
【００６８】
Ｓ２８では、操作されたのはテンキー２ａの０キーであったか否かを判断する。０キーが操作された場合はＳ２０へ移行し、それ以外の場合はＳ２２に戻る。
【００６９】
Ｓ２０では、表示倍率及び切り出し範囲をデフォルト設定に戻す。例えば、表示倍率を等倍に戻し、切り出し範囲を中央に戻す。そしてＳ２２に戻る。
【００７０】
図７は表示エリア変更処理のフローチャートである。
【００７１】
Ｓ２９では、十字キーが操作されたか否かを判断し、Ｓ３０では、十字キーの操作に応じて切り出し範囲を上下左右に移動させる。Ｓ３１では、再び撮影キー２ｂが操作されたか否かを判断し、撮影キー２ｂが操作された場合はＳ２２に戻り、撮影キー２ｂが操作されない場合はＳ２９に戻る。
【００７２】
以上説明した通り、本実施形態では、テンキーの操作に応じて切り出し範囲の移動及び所定倍率への拡大が行われる。こうすれば、従来のように、切り出し範囲即ち拡大領域の移動と倍率指定の操作を別々に行う必要がなく便利である。
【００７３】
＜第３実施形態＞
第２実施形態では、所定の倍率で切り出し範囲の画像が拡縮されていたが、倍率の変更や切り出し範囲の移動を繰り返しているうちに、ユーザは現在どれぐらいの倍率で画像のどの部分が拡縮表示されているのかがよく分からなくなることがある。そうすると、０キーを押下して倍率及び切り出し範囲の位置をデフォルト設定に戻し、倍率及び切り出し範囲の位置の移動をやり直す必要があった。しかし、この場合、現在の倍率を変える必要がないのにデフォルト設定に戻ってしまい、再び倍率を指定するのが面倒である。このような問題を解消するには、以下のように、指定の倍率への画像の拡縮表示と切り出し範囲の移動表示を別個に行えばよい。
【００７４】
図９は第３実施形態に係る再生処理の流れを示すフローチャートである。この処理はモードボタン２ｃによって再生モードが設定されたときに開始する。この処理は第１実施形態の携帯通信端末１のＣＰＵ１０で実行できる。
【００７５】
Ｓ４１では、メモリカード４に記録されている最終の（あるいは最初の）画像ファイルを表示部１７に表示させる。
【００７６】
Ｓ４２では、操作部２の操作があったか否かを検知する。操作を検知した場合はＳ４３に移行する。
【００７７】
Ｓ４３では、操作されたのは上キー２Ｕであったか否かを判断する。上キー２Ｕが操作された場合はＳ４４に移行し、それ以外のキー・ボタンが操作された場合はＳ４５に移行する。
【００７８】
Ｓ４４では、上キー２Ｕの操作に応じて再生画像の倍率を順次変更する。即ち、上キー２Ｕが一度押される度に現在の倍率よりも１段階高い倍率に変更する。
【００７９】
Ｓ４５では、操作されたのは下キー２Ｄであったか否かを判断する。下キー２Ｄが操作された場合はＳ４６に移行し、それ以外の場合はＳ４７に移行する。
【００８０】
Ｓ４６では、現在画像が拡大状態であるか、即ち倍率が等倍（１倍）を超える倍率であるか否かを判断する。拡大状態である場合はＳ４８に移行し、それ以外の場合はＳ４２に戻る。
【００８１】
Ｓ４７では、操作されたのはテンキー２ａのいずれかであったか否かを判断する。テンキー２ａが操作された場合は図１０の表示サブルーチンに移行し、それ以外の場合はＳ４８に移行する。表示サブルーチンの説明は後述する。
【００８２】
Ｓ４８では、下キー２Ｄの操作に応じて再生画像の倍率を順次変更する。即ち、下キー２Ｄが一度押される度に現在の倍率よりも１段階低い倍率に変更する。
【００８３】
Ｓ４９では、操作されたのは右キー２Ｒ又は右キー２Ｌのいずれかであったか否かを判断する。右キー２Ｒ又は右キー２Ｌが操作された場合はＳ４０へ移行し、それ以外のキー・ボタンが操作された場合はＳ４２に戻る。
【００８４】
Ｓ４０では、右キー２Ｒ又は右キー２Ｌの操作に応じて画像をコマ送りする。即ち、十字キーの右キー２Ｒが押されると、順方向にコマ送りし、十字キーの左キー２Ｌが押されると、逆方向にコマ送りする。
【００８５】
図１０は、表示サブルーチンの流れを示すフローチャートである。
【００８６】
Ｓ５０では、現在画像が拡大状態であるか、即ち倍率が等倍（１倍）を超える倍率であるか否かを判断する。拡大状態である場合はＳ５１に移行し、それ以外の場合は再生処理のＳ４２に戻る。
【００８７】
Ｓ５１では、操作されたのはテンキー２ａの０キーであったか否かを判断する。０キーが操作された場合はＳ５２へ移行し、それ以外の場合はＳ５３に移行する。
【００８８】
Ｓ５２では、画像の倍率を等倍に変更する。
【００８９】
Ｓ５３では、現在指定されている倍率を維持したまま、操作された１〜９キー（ただし０キーは除く）に対応する画像の基準位置（画像基準位置）を、操作された１〜９キーに対応する表示部１７上の基準位置（表示基準位置）に合わせて表示する。
【００９０】
一例として、１〜９キーに対応する画像基準位置及び表示基準位置は、図１１に示すように定めることができる。図１１（ａ）は１〜９キー、画像基準位置及び表示基準位置の対応、図１１（ｂ）はある画像に設定された画像基準位置、図１１（ｂ）は表示部１７上に設定された表示基準位置の一例を示している。
【００９１】
例えば、上記のような画像基準位置及び表示基準位置が設定されており、図１２（ａ）に示すような画像（Ａ８とＢ８が合わされた状態）がある指定倍率に拡縮されて表示されている状態で２キーが操作されたとする。この場合、図１２（ｂ）に示すように、現在の指定倍率を維持したまま、２キーに対応する画像基準位置Ａ２と表示基準位置Ｂ２とが合わされて画像が表示される。
【００９２】
以上説明した通り、本実施形態では、上キー２Ｕ／下キー２Ｄで指定された倍率に応じて画像が拡縮され、１〜９キーの操作に応じて現在の倍率を維持したまま切り出し範囲を移動させて画像を表示させる。こうすると、倍率の変更や切り出し範囲の移動を繰り返すうち、現在画像のどの部分がどれだけの倍率で表示されているのか分からなくなっても、１〜９キーを操作して現在の表示倍率を維持したまま画像の表示部分を移動させることで、現在どれだけの倍率で画像のどの部分が表示されているのかを知ることができ、表示倍率をデフォルト設定まで戻す必要がなくなる。
【図面の簡単な説明】
【００９３】
【図１】携帯通信端末の正面図
【図２】携帯通信端末のブロック構成図
【図３】撮影処理の流れを示すフローチャート
【図４】再生処理の流れを示すフローチャート
【図５】画像ファイルの再生表示の一例を示す図
【図６】第２実施形態に係る再生処理の流れを示すフローチャート
【図７】表示エリア変更処理の流れを示すフローチャート
【図８】テンキーに割り当てられた切り出し範囲の移動位置の表示例を示す図
【図９】第３実施形態に係る再生処理の流れを示すフローチャート
【図１０】表示サブルーチンの流れを示すフローチャート
【図１１】１〜９キーに対応する画像基準位置及び表示基準位置の一例を示す図
【図１２】現在の倍率を維持したまま、操作されたテンキーに対応する画像基準位置と表示基準位置とが合わされて表示された状態を例示した図
【符号の説明】
【００９４】
１０：ＣＰＵ、１１：撮像レンズ、１７：表示部
【図１】
2006157191.tif 000003
【図２】
2006157191.tif 000004
【図３】
2006157191.tif 000005
【図４】
2006157191.tif 000006
【図５】
2006157191.tif 000007
【図６】
2006157191.tif 000008
【図７】
2006157191.tif 000009
【図８】
2006157191.tif 000010
【図９】
2006157191.tif 000011
【図１０】
2006157191.tif 000012
【図１１】
2006157191.tif 000013
【図１２】
2006157191.tif 000014